(57)【特許請求の範囲】
【請求項１】
圧力計測部を内蔵したハウジング部と被計測対象物に接続する継手部を備えるとともに、前記継手部から前記圧力計測部に被計測媒体を導入する導入路を有する圧力計において、筒状の周面部とこの周面部の一端を閉塞する裏面部を一体に有するハウジング部と、前記裏面部に一体に形成することにより当該裏面部の外面中心から直角に突出し、かつ外周にネジ部を有する継手部と、湾曲したブルドン管を有し、かつ一体化した計測ユニットとして構成した圧力計測部と、この計測ユニットに設け、かつ前記ブルドン管の一端に被計測流体を導入するユニット側導入路と、前記継手部及び前記ハウジング部の内部に形成するとともに、前記裏面部の径方向内部に設けた導入路部を含むハウジング側導入路と、前記計測ユニット又は前記ハウジング部の一方に設けた凹部と他方に設けて前記凹部に挿入する凸部を有し、かつ当該凸部の先端にシーリング部材の離脱を阻止するための大径部を有することにより、前記計測ユニットと前記ハウジング部を接続し、かつ前記ユニット側導入路と前記ハウジング側導入路を接続する接続部とを備えることを特徴とする圧力計。
【請求項２】
前記計測ユニットはベースプレート部を有し、このベースプレート部の一方の面に前記圧力計測部を実装し、かつ他方の面に前記凸部又は凹部を配することを特徴とする請求項１記載の圧力計。
【請求項３】
前記ベースプレート部は前記ハウジング部に固定することを特徴とする請求項２記載の圧力計。
【発明の詳細な説明】
【０００１】
【発明の属する技術分野】
本発明は被計測対象物に接続して被計測媒体（圧力流体）の圧力を計測するための圧力計に関する。
【０００２】
【従来の技術】
従来、圧力計測部を内蔵したハウジング部と被計測対象物に接続する継手部を備えるとともに、継手部から圧力計測部に被計測媒体を導入する導入路を有する圧力計は知られている。
【０００３】
図６及び図７に、この種の圧力計５０を示す。図中、５１は一体形成したハウジング部である。ハウジング部５１は筒状の周面部５１ｓとこの周面部５１ｓの一端を閉塞する裏面部５１ｃからなり、裏面部５１ｃの中央には開口部５２を有する。また、５３はハウジング部５１に内蔵した圧力計測部であり、この圧力計測部５３には、Ｃ形に湾曲したブルドン管５４と、このブルドン管５４の一端を結合したジョイントブロック５５と、ハウジング部５１の中央位置に回動自在に支持され、先端に指針５６を有するシャフト５７と、ブルドン管５４の他端の変位をシャフト５７の回転に変換する運動変換機構５８を備える。一方、ジョイントブロック５５には継手部５９を一体に設けるとともに、継手部５９及びジョイントブロック５５の内部には被計測媒体（圧力流体）を導入する導入路６０を設ける。これにより、ブルドン管５４の内部は導入路６０を経て継手部５９の先端から外部に連通する。そして、ジョイントブロック５５はハウジング部５１の裏面部５１ｃにネジ止めにより固定する。なお、６１は渦巻スプリング，６２は目盛盤，６３は透明な前面カバーをそれぞれ示す。
【０００４】
よって、継手部５９を被計測対象物に取付ければ、被計測媒体は導入路６０を通ってブルドン管５４の内部に導入される。この結果、ブルドン管５４は被計測媒体の圧力の大きさに対応して曲率が大きくなるように変形し、ブルドン管５４の他端は一方向に変位する。この変位は運動変換機構５８を介してシャフト５７の回転、即ち、指針５６の振れに変換される。
【０００５】
【発明が解決しようとする課題】
しかし、上述した従来の圧力計５０は、被計測媒体を継手部５９から導入路６０を通して圧力計測部５３に導入するため、次のような問題があった。
【０００６】
第一に、継手部５９は、通常、異なる被計測対象物に対応して多種類存在するが、継手部５９と圧力計測部５３は一体化されているため、圧力計５０を調整する圧力計調整器側に、継手部５９を接続する多種類の接続口を用意する必要があり、圧力計調整器側のコストアップ及び調整時の作業性低下を招く。
【０００７】
第二に、圧力計５０を被計測対象物に取付ける際には、ハウジング部５１を手で持って回すこともあるが、この場合、継手部５９及び目盛盤６２を含む圧力計測部５３に対してハウジング部５１を組付ける構造では、被計測対象物への取付時に幾何学上の歪が発生し、指示性能に誤差を生じる。
【０００８】
本発明はこのような従来の技術に存在する課題を解決したものであり、コストダウン及び調整時の作業性向上を図れるとともに、被計測対象物への取付時に発生する指示性能の誤差を排除し、より信頼性を高めることができる圧力計の提供を目的とする。
【０００９】
【課題を解決するための手段及び実施の形態】
本発明は、圧力計測部２を内蔵したハウジング部３と被計測対象物に接続する継手部４を備えるとともに、継手部４から圧力計測部２に被計測媒体を導入する導入路５を有する圧力計１を構成するに際して、筒状の周面部１１とこの周面部１１の一端を閉塞する裏面部１２を一体に有するハウジング部３と、裏面部１２に一体に形成することにより当該裏面部１２の外面中心から直角に突出し、かつ外周にネジ部４ｎを有する継手部４と、湾曲したブルドン管２２を有し、かつ一体化した計測ユニット２ｕとして構成した圧力計測部２と、この計測ユニット２ｕに設け、かつブルドン管２２の一端に被計測流体を導入するユニット側導入路５ｕと、継手部４及びハウジング部３の内部に形成するとともに、裏面部１２の径方向内部に設けた導入路部５ｈｂを含むハウジング側導入路５ｈと、計測ユニット２ｕ又はハウジング部３の一方に設けた凹部１３と他方に設けて凹部１３に挿入する凸部１４を有し、かつ当該凸部１４の先端にシーリング部材１５の離脱を阻止するための大径部１４ｅを有することにより、計測ユニット２ｕとハウジング部３を接続し、かつユニット側導入路５ｕとハウジング側導入路５ｈを接続する接続部６とを備えることを特徴とする。
【００１０】
この場合、好適な実施の形態により、計測ユニット２ｕはベースプレート部１６を有し、このベースプレート部１６の一方の面に圧力計測部２を実装し、かつ他方の面に凸部１４又は凹部１３を配することができる。また、ベースプレート部１６はハウジング部３に固定することができる。
【００１１】
これにより、圧力計１は、基本的に、計測ユニット２ｕと、継手部４を一体に形成したハウジング部３の組合わせにより構成されるため、計測ユニット２ｕをハウジング部３に組付ければ、ハウジング部３側に設けた導入部５と計測ユニット２ｕ側に設けた導入部５は、接続部６を介して接続され、被計測媒体は接続部６により接続された導入部５を通って圧力計測部２に導入される。よって、ハウジング部３における継手部４の種類が異なっても、計測ユニット２ｕは共通に使用できるため、圧力計測部２を調整するための圧力計調整器に備える接続口は、計測ユニット２ｕの接続部６に対応する一種類の接続口で足りる。また、圧力計１を被計測対象物に取付ける際に、ハウジング部３を手で持って回しても、ハウジング部３と継手部４は一体形成されるため、幾何学上の歪は発生しない。
【００１２】
【実施例】
次に、本発明に係る好適な実施例を挙げ、図面に基づき詳細に説明する。
【００１３】
まず、本実施例に係る圧力計１の構成について、図１〜図５を参照して説明する。
【００１４】
圧力計１は、圧力計測部２を一体化して構成した計測ユニット２ｕを備える。計測ユニット２ｕは、ベースプレート部１６を有し、このベースプレート部１６の一方の面に圧力計測部２を実装し、かつ他方の面に凸部１４を突出させる。即ち、ベースプレート部１６の一方の面に、ジョイントブロック２１を取付け、このジョイントブロック２１の一部をベースプレート部１６の開口を通して他方の面に突出させ、この突出部分を凸部１４とする。凸部１４は筒状をなし、外周面には、Ｏリングを用いたシーリング部材１５を装着する。なお、図４に示すように、凸部１４の先端に、例えば、先端を外側に開くなどにより大径部１４ｅを設けてもよく、これにより、シーリング部材１５の離脱を阻止できる。
【００１５】
また、ジョイントブロック２１にはＣ形に湾曲したブルドン管２２の一端を埋設して結合する。一方、ジョイントブロック２１の内部には被計測媒体（圧力流体）を導入するユニット側導入路５ｕを形成し、これにより、ブルドン管２２の内部を、当該ユニット側導入路５ｕを介して凸部１４の先端から外部に連通させる。この場合、ユニット側導入路５ｕは凸部１４の中心軸上に設けた第一導入路部５ｕａと、この第一導入路部５ｕａとブルドン管２２の一端開口を連通させる第二導入路部５ｕｂからなる。さらに、計測ユニット２ｕの略中央位置には、先端に指針２３を有するシャフト２４を回動自在に配設するとともに、ブルドン管２２の他端と当該シャフト２４間には、ブルドン管２２の他端の変位をシャフト２４の回転に変換する運動変換機構２５を配設する。運動変換機構２５は図３に示すように、中間部を回動自在に支持されたセクタギア２６と、このセクタギア２６の後端とブルドン管２２の他端を連結したリンク２７と、シャフト２４に取付けることによりセクタギア２６の前端ギア部２６ｇに噛合するピニオン２８と、シャフト２４に取付けた渦巻スプリング２９を備える。なお、３０は目盛盤である。
【００１６】
一方、圧力計１はハウジング部３を備え、このハウジング部３には継手部４を一体形成する。ハウジング部３は、筒状の周面部１１と、この周面部１１の一端を閉塞する裏面部１２を一体形成し、この裏面部１２の外面中心に継手部４を直角に突出形成する。継手部４は外周にネジ部４ｎを有する。なお、継手部４を一体に有するハウジング部３は、実施例のように切削加工により形成することもできるし、鋳造等の他の手法で形成してもよい。さらに、継手部４とハウジング部３を別体で形成し、カシメ，接着，溶接等により一体的に結合する場合を排除するものではない。また、継手部４及びハウジング部３の内部にはハウジング側導入路５ｈを形成する。この場合、ハウジング側導入路５ｈは継手部４の中心軸上に設けた第一導入路部５ｈａと、裏面部１２の径方向内部に設けた第二導入路部５ｈｂと、この第二導入路部５ｈｂの中間部と裏面部１２の内面間に設けた第三導入路部５ｈｃからなり、第二導入路部５ｈｂを形成する際に発生する裏面部１２の周端部開口は加工後に溶接等の閉塞部材５ｈｓにより閉塞する。また、裏面部１２の内面に開口する第三導入路部５ｈｃは、その一部を断面円形の凹部１３として形成する。
【００１７】
これにより、凹部１３には、シーリング部材１５を装着した凸部１４を収容することができ、収容した際には、凹部１３の内部の第三導入路部５ｈｃと凸部１４の内部に形成した第一導入路部５ｕａが接続されるとともに、凹部１３の内周面と凸部１４の外周面間には圧縮状態のシーリング部材１５が介在して気密性が確保される。この場合、凹部１３，凸部１４及びシーリング部材１５は、接続部６を構成するとともに、ユニット側導入路５ｕとハウジング側導入路５ｈは導入路５を構成する。
【００１８】
なお、図５には、ハウジング部３における継手部４の形成位置を異ならせた場合の変更例を示す。変更例では図１に示した実施例に対して、第一導入路部５ｈａと第二導入路部５ｈｂが同一軸上に形成されるため、事実上、第二導入路部５ｈｂは不要となる。また、凹部１３の位置及び形状をはじめ、他の構成は図１に示した実施例の凹部１３と同一になる。したがって、図５中、図１と同一部分には同一符号を付してその構成を明確にした。他方、３１は透明な前面カバーであり、ハウジング部３の前端に装着する。
【００１９】
次に、本実施例に係る圧力計１の組立方法について、図１及び図２を参照して詳細に説明する。
【００２０】
まず、計測ユニット２ｕを製作する。なお、計測ユニット２ｕには図１に示すように、ベースプレート部１６，ジョイントブロック２１，凸部１４，シーリング部材１５，ブルドン管２２，指針２３，シャフト２４，運動変換機構２５及び目盛盤３０を含む。また、計測ユニット２ｕは圧力計測機能を有する圧力計測部２を含むため、計測ユニット２ｕを製作した段階で圧力計測部２の調整（校正）を行う。即ち、シーリング部材１５を装着した凸部１４を圧力計調整器の接続口に接続して圧力計測部２の調整を行う。このような計測ユニット２ｕは、図５に示すような各ハウジング部３側の種類が異なる場合にも共通に使用できるため、計測ユニット２ｕを接続する圧力計調整器の接続口は、当該計測ユニット２ｕの凸部１４に対応する一種類の接続口で足り、圧力計調整器側のコストダウンを図れる。
【００２１】
一方、計測ユニット２ｕはハウジング部３の内部に収容し、ハウジング部３に取付ける。この際、図２に示すように、シーリング部材１５を装着した凸部１４を凹部１３に収容する。これにより、凹部１３の内部の第三導入路部５ｈｃと凸部１４の内部に形成した第一導入路部５ｕａが接続されるとともに、凹部１３の内周面と凸部１４の外周面間には圧縮状態のシーリング部材１５が介在して気密性が確保される。また、図１に示すようにベースプレート部１６は裏面部１２の内面に重なるため、ベースプレート部１６と裏面部１２の二か所をリベット３３…により結合する（図３参照）。なお、リベットの代わりにネジ等の他の締結部材を用いてもよい。そして、図２に示すように、前面カバー３１をハウジング部３の前端に装着すれば、圧力計１の組立は終了する。
【００２２】
次に、本実施例に係る圧力計１の機能、更には使用方法について、各図を参照して説明する。
【００２３】
まず、使用に際しては、圧力計１の継手部４を被計測対象物に取付ける。この場合、継手部４を被計測対象物側のネジ孔に螺着する。取付ける際には、ハウジング部３を手で持って回すこともあるが、この場合、ハウジング部３と継手部４は一体に形成されているため、幾何学上の歪は発生せず、これに基づく指示性能の誤差は生じない。
【００２４】
これにより、被計測対象物の被計測媒体は、第一導入路部５ｈａ，第二導入路部５ｈｂ，第三導入路部５ｈｃ（凹部１３），第一導入路部５ｕａ（凸部１４），第二導入路部５ｕｂを通って、ブルドン管２２の内部に導入される。この結果、ブルドン管２２は被計測媒体の圧力に対応して曲率が大きくなるように変形し、ブルドン管２２の他端は一方向に変位する。この変位は、運動変換機構２５、即ち、リンク２７を介してセクタギア２６の回転変位に変換され、セクタギア２６の前端ギア部２６ｇはピニオン２８を回転させる。この結果、シャフト２４が回転し、指針２３は圧力の大きさに対応した角度に振れる。
【００２５】
以上、実施例について詳細に説明したが、本発明はこのような実施例に限定されるものではなく、細部の構成，形状，素材，数量等において、本発明の要旨を逸脱しない範囲で任意に変更できる。
【００２６】
例えば、ハウジング部は周面部と裏面部を一体形成した場合を示したが、別体形成する場合を排除するものではない。また、接続部を構成するに際しては、凹部を計測ユニットに、凸部をハウジング部にそれぞれ設けてもよいし、接続部は必ずしも凹部と凸部の構成に限定されるものではない。
【００２７】
【発明の効果】
このように、本発明に係る圧力計は、筒状の周面部とこの周面部の一端を閉塞する裏面部を一体に有するハウジング部と、裏面部に一体に形成することにより当該裏面部の外面中心から直角に突出し、かつ外周にネジ部を有する継手部と、湾曲したブルドン管を有し、かつ一体化した計測ユニットとして構成した圧力計測部と、この計測ユニットに設け、かつブルドン管の一端に被計測流体を導入するユニット側導入路と、継手部及びハウジング部の内部に形成するとともに、裏面部の径方向内部に設けた導入路部を含むハウジング側導入路と、計測ユニット又はハウジング部の一方に設けた凹部と他方に設けて凹部に挿入する凸部を有し、かつ当該凸部の先端にシーリング部材の離脱を阻止するための大径部を有することにより、計測ユニットとハウジング部を接続し、かつユニット側導入路とハウジング側導入路を接続する接続部とを備えるため、次のような顕著な効果を奏する。
【００２８】
（１）  計測ユニットの段階で圧力計調整器による調整を行うことができるとともに、継手部の種類が異なっても、計測ユニットは共通に使用できるため、計測ユニットを接続する圧力計調整器の接続口は、計測ユニットに対応する一種類の接続口で足り、コストダウン及び調整時の作業性向上を図ることができるという基本的な効果に加え、ハウジング部と継手部は一体形成されるため、圧力計を被計測対象物に取付ける際に、ハウジング部を手で回しても、幾何学上の歪は発生せず、これに基づく指示性能の誤差を排除することができるとともに、信頼性をより高めることができる。
【００２９】
（２）  継手部及びハウジング部の内部にハウジング側導入路を形成するとともに、ハウジング側導入路に含む一部の導入路部（第二導入路部）を、ハウジング部における裏面部の径方向内部に設けたため、ブルドン管は、被計測媒体の圧力に対応して曲率が大きくなるように変形することができる。
【００３０】
（３）  好適な実施の形態により、接続部を計測ユニット又はハウジング部の一方に設けた凹部と、他方に設けて凹部に挿入する凸部と、凹部と凸部間に介在するシーリング部材により構成すれば、組立の容易化を図ることができる。
【００３１】
（４）  好適な実施の形態により、凸部の先端に大径部を設ければ、シーリング部材の離脱を阻止することができる。
【００３２】
（５）  好適な実施の形態により、計測ユニットにベースプレート部を設け、このベースプレート部の一方の面に圧力計測部を実装し、かつ他方の面に凸部又は凹部を配するとともに、ベースプレート部をハウジング部に固定すれば、さらなる組立の容易化を図ることができる。
【図面の簡単な説明】
【図１】  本実施例に係る圧力計の要部を分解した状態を示す一部断面側面図、
【図２】  同圧力計の一部断面側面図、
【図３】  同圧力計の一部断面正面図、
【図４】  同圧力計の接続部における凸部の変更例を示す断面図、
【図５】  同圧力計の継手部を有するハウジング部の変更例を示す一部断面側面図、
【図６】  従来の技術に係る圧力計の一部断面側面図、
【図７】  同圧力計の一部断面正面図、
【符号の説明】
１      圧力計
２      圧力計測部
２ｕ    計測ユニット
３      ハウジング部
４      継手部
４ｎ    ネジ部
５      導入路
５ｕ    ユニット側導入路
５ｈｂ  導入路部
５ｈ    ハウジング側導入路
６      接続部
１１    周面部
１２    裏面部
１３    凹部
１４    凸部
１５    シーリング部材
１６    ベースプレート部
２２    ブルドン管
【図１】
0003662083.tif 000002
【図２】
0003662083.tif 000003
【図３】
0003662083.tif 000004
【図４】
0003662083.tif 000005
【図５】
0003662083.tif 000006
【図６】
0003662083.tif 000007
【図７】
0003662083.tif 000008